(57)【要約】【課題】セキュリティレベルを向上することが可能なエンジン始動制御装置を提供すること。【解決手段】正規の電子キーが利用されることを第１の条件と規定するとともに、基準パスワードと一致するパスワードが入力されることを第２の条件と規定する。エンジンが停止されてから所定の時間（本実施形態では５分間）が経過するまでの期間内にあって、前記第１の条件及び前記第２の条件がいずれも満足されたとき、前記期間内におけるエンジンの始動が許可される。また、エンジン停止時からユーザ本人が降車せずに車内に居続けていることが把握されるとき、正規の電子キーの存在が肯定されることを条件として、前記期間内におけるパスワード入力無しでのエンジンの始動が許可される。【選択図】図３
2008087734.tif 000002
【特許請求の範囲】
【請求項１】
基準ＩＤコードと一致するＩＤコードを取得したとき、対応する電子キーが利用されたものとして扱い、それによりエンジンの始動を許可するエンジン始動制御装置において、
エンジンが停止されてから所定の時間が経過するまでの期間に亘って、前記電子キーが利用されたことを単独条件とするエンジンの始動を禁止するエンジン再始動規制手段を備えていることを特徴とするエンジン始動制御装置。
【請求項２】
請求項１に記載のエンジン始動制御装置において、
エンジンが停止された時点を基点として、その時点からユーザ本人が降車せずに車内に居続けていることを示唆する情報を取得したとき、前記電子キーが利用されたことを条件として、前記期間内におけるエンジンの始動を許可するエンジン再始動規制緩和手段を備えていることを特徴とするエンジン始動制御装置。
【請求項３】
請求項１又は請求項２に記載のエンジン始動制御装置において、
前記電子キーが利用されることを第１の条件と規定するとともに、前記電子キーが利用されることに伴って取得される情報である前記ＩＤコードとは別の情報として、ユーザ本人を特定するに値する情報が取得されることを第２の条件と規定し、
前記期間内にあって、前記第１の条件及び前記第２の条件がいずれも満足されたとき、前記期間内におけるエンジンの始動を許可するエンジン再始動許容手段を備えていることを特徴とするエンジン始動制御装置。
【請求項４】
請求項３に記載のエンジン始動制御装置において、
ユーザ本人を特定するに値する情報として、ユーザ本人のみが知り得る情報が取得されることを前記第２の条件と規定するとともに、
前記エンジン再始動許容手段は、前記期間内にあって、前記第１の条件及び前記第２の条件がいずれも満足されたとき、前記期間内におけるエンジンの始動を許可することを特徴とするエンジン始動制御装置。
【請求項５】
請求項１〜請求項４のいずれか１項に記載のエンジン始動制御装置において、
前記期間を設定するエンジン再始動規制期間設定手段を備えていることを特徴とするエンジン始動制御装置。
【発明の詳細な説明】
【技術分野】
【０００１】
本発明は、車両のエンジン始動を制御するエンジン始動制御装置に関する。
【背景技術】
【０００２】
特許文献１には、車両ユーザが所持する電子キーと車両側の照合装置との間で通信を行うとともに、基準ＩＤコードと一致するＩＤコードが照合装置で受信されたとき、対応する電子キーが利用されたものとして扱い、それによりエンジンの始動を許可する、いわゆる電子キーシステムを用いたエンジン始動制御装置に関する技術が開示されている。尚、このようなエンジン始動制御装置では、上記の場合とは異なり、対応する電子キーが利用されないとき、基準ＩＤコードと一致するＩＤコードが電子キーから送信されないので、この場合、エンジンの始動が許可されないようになっている。
【０００３】
そして、この種のエンジン始動制御装置によると、電子キーの所持者は、エンジンを始動するに際して、メカニカルキーを用いた煩雑な操作を行わなくて済むので、利便性に優れる。しかも、同エンジン始動制御装置によると、メカニカルキーと比較して複製が格段に困難な電子キーを利用しなければ、エンジンの始動が許可されないので、セキュリティレベルが高い。
【特許文献１】特開２００４−１６９６９２号公報（段落番号０００２、００１５、００３６、００３９）
【発明の開示】
【発明が解決しようとする課題】
【０００４】
しかしながら、上記の内容を考察すると、対応する電子キー、つまり車両ユーザが所持すべき電子キーが利用されたか否かが特定されることに基づきエンジン始動が制御されるに過ぎず、エンジン始動制御に際して、電子キーの所持者が誰であるかまでは特定されない。このため、車両ユーザでなくとも、何らかの理由で前記電子キーを入手した者であれば、何時でもエンジンを始動できてしまうことから、車両セキュリティに関して改善の余地がある。
【０００５】
本発明は、このような問題点に着目してなされたものであって、その目的は、セキュリティレベルを向上することが可能なエンジン始動制御装置を提供することにある。
【課題を解決するための手段】
【０００６】
上記の目的を達成するために、請求項１に記載の発明は、基準ＩＤコードと一致するＩＤコードを取得したとき、対応する電子キーが利用されたものとして扱い、それによりエンジンの始動を許可するエンジン始動制御装置において、エンジンが停止されてから所定の時間が経過するまでの期間に亘って、前記電子キーが利用されたことを単独条件とするエンジンの始動を禁止するエンジン再始動規制手段を備えていることをその要旨としている。
【０００７】
同構成によると、エンジンが停止されてから所定の時間が経過するまでの期間内において、対応する電子キーが利用されたとしても、それ単独ではエンジンの始動が許可されない。このため、例えば、降車直後に電子キーをユーザ本人以外の者が入手するような場合でも、その者は、前記電子キーを利用するだけではエンジンを始動させることができないことになる。従って、セキュリティレベルを向上することができる。
【０００８】
請求項２に記載の発明は、請求項１に記載のエンジン始動制御装置において、エンジンが停止された時点を基点として、その時点からユーザ本人が降車せずに車内に居続けていることを示唆する情報を取得したとき、前記電子キーが利用されたことを条件として、前記期間内におけるエンジンの始動を許可するエンジン再始動規制緩和手段を備えていることをその要旨としている。
【０００９】
同構成によると、エンジン停止時を基点として、その時点からユーザ本人が車内に居続けているのであれば、正規の電子キーの存在が肯定されることを条件として、エンジンの再始動を許可したとしても何ら差し支えないので、このような状況が把握されるとき、エンジンの始動を許可するようにしている。従って、ユーザ本人が享受する利便性が損なわれてしまうことを防止できる。
【００１０】
請求項３に記載の発明は、請求項１又は請求項２に記載のエンジン始動制御装置において、前記電子キーが利用されることを第１の条件と規定するとともに、前記電子キーが利用されることに伴って取得される情報である前記ＩＤコードとは別の情報として、ユーザ本人を特定するに値する情報が取得されることを第２の条件と規定し、前記期間内にあって、前記第１の条件及び前記第２の条件がいずれも満足されたとき、前記期間内におけるエンジンの始動を許可するエンジン再始動許容手段を備えていることをその要旨としている。
【００１１】
同構成によると、エンジンが停止されてから所定の時間が経過するまでの期間内において、如何なる条件が満足されようとも必ずエンジンの始動を禁止するのでは利便性が低下してしまうので、そうならないようにするための対策が講じられている。即ち、前記期間内において、対応する電子キーが利用されるという第１の条件と、ユーザ本人を特定するに値する情報が取得されるという第２の条件とが共に満足されたとき、前記期間内におけるエンジンの始動が許可される。
【００１２】
このため、正規の電子キーを入手した第三者といえども第１の条件を満足できるに過ぎず、第２の条件を満足することができない。よって、その者による前記期間内におけるエンジンの再始動は許可されないので、高いセキュリティレベルが得られる。一方、ユーザ本人は第１の条件及び第２の条件をいずれも満足できるので、よってユーザ本人による前記期間内におけるエンジンの再始動が許可されることとなり、利便性に優れる。従って、セキュリティ性と利便性との両立を図ることができる。
【００１３】
請求項４に記載の発明は、請求項３に記載のエンジン始動制御装置において、ユーザ本人を特定するに値する情報として、ユーザ本人のみが知り得る情報が取得されることを前記第２の条件と規定するとともに、前記エンジン再始動許容手段は、前記期間内にあって、前記第１の条件及び前記第２の条件がいずれも満足されたとき、前記期間内におけるエンジンの始動を許可することをその要旨としている。
【００１４】
同構成によると、ユーザ本人を特定するに値する情報として、ユーザ本人のみが知り得る情報が取得されたとき、第２の条件が満足される。そして、エンジンが停止されてから所定の時間が経過するまでの期間内において、対応する電子キーが利用されるという第１の条件と、ユーザ本人のみが知り得る情報が取得されるという第２の条件とが共に満足されたとき、前記期間内におけるエンジンの始動が許可される。
【００１５】
つまり、前記期間内において、エンジンを再始動させるためには、単にユーザ本人が特定されればよい訳ではなく、そのユーザ本人のみぞ知る情報、いわば階層の深い情報が必要となる。従って、このような秘匿性に優れる情報が取得されたことを条件として、エンジンの再始動が許可されるようにしているので、セキュリティレベルを向上できる。別の言い方をするならば、前記期間内において第三者がエンジンを再始動できる余地はなく、それは皆無に等しいと言える。
【００１６】
請求項５に記載の発明は、請求項１〜請求項４のいずれか１項に記載のエンジン始動制御装置において、前記期間を設定するエンジン再始動規制期間設定手段を備えていることをその要旨としている。
【００１７】
同構成によると、エンジンの再始動を規制する期間を任意に設定することが可能となる。従って、その期間をユーザ本人の所望に応じたものに設定することで、ユーザ本人の都合に合わせることができる。例えば、前記期間を、駐車場を出てから自宅に入るまでの所要時間よりも長い時間に設定すれば、降車直後に第三者に電子キーを奪われたとしても、その者は、エンジンを始動させるに際して時間的な制約を受けて、直ちにはエンジンを始動させることができない。よって、このような場合、ユーザ本人は、身の安全を確保するべく、取り急ぎその者に電子キーを手渡すとともに、自分が自宅に戻った後に警察に連絡をとる等の処置を施すことができる。
【発明の効果】
【００１８】
本発明は、以上のように構成されているため、次のような効果を奏する。
本発明によれば、セキュリティレベルを向上することができる。
【発明を実施するための最良の形態】
【００１９】
以下、本発明を自動車のエンジン始動制御装置に具体化した一実施形態を説明する。
図１に示すように、本実施形態の自動車には、電子キーシステム１が適用されている。電子キーシステム１は、車両ユーザが所持する電子キー２と、車両側に設けられるセキュリティ装置３とを備えるとともに、電子キー２とセキュリティ装置３との間での双方向通信が可能である。尚、前記電子キー２は、その所持態様から携帯機と称されている。
【００２０】
電子キー２は、無線通信による受信機能及び無線通信による送信機能を有するとともに、受信アンテナ２１、受信回路２２、マイコン２３、送信回路２４、送信アンテナ２５を備えている。受信アンテナ２１は、セキュリティ装置３から送信されてくるリクエスト信号を受信するための媒体である。受信回路２２は、受信アンテナ２１により受信されたリクエスト信号を復調して受信信号を生成するとともに、その受信信号をマイコン２３に出力する。
【００２１】
マイコン２３は、不揮発性のメモリ２３ａを備えるとともに、そのメモリ２３ａには、電子キー２毎に個別に設定されたＩＤコード（電子キー２のＩＤコード）が記憶されている。マイコン２３は、受信回路２２から受信信号が入力されたとき、リクエスト信号に応答するために、電子キー２のＩＤコードを含む信号（ＩＤコード信号）を生成するとともに、そのＩＤコード信号を送信回路２４に出力する。送信回路２４は、マイコン２３から入力されたＩＤコード信号を所定周波数（本実施形態では３００ＭＨｚ）の電波に変調する。送信アンテナ２５は、送信回路２４により変調されたＩＤコード信号を送信するための媒体である。
【００２２】
セキュリティ装置３は、無線通信による送信機能及び無線通信による受信機能を有するとともに、送信回路３１、送信アンテナ３２、受信アンテナ３３、受信回路３４、照合装置３５を備えている。送信回路３１は、照合装置３５から入力されるリクエスト信号を所定周波数（本実施形態では１３４ＫＨｚ）の電波に変調する。送信アンテナ３２は、送信回路３１により変調されたリクエスト信号を送信するための媒体である。
【００２３】
ここで、送信アンテナ３２からのリクエスト信号は、車内の略全域に及んで且つ車外に殆ど及ばない領域の範囲内に送信される。図２には、その領域が車内の所定領域Ａ３２として２点鎖線で示されている。その結果、この車内の所定領域Ａ３２の範囲内において、電子キー２とセキュリティ装置３との間での双方向通信が可能となる。つまり、リクエスト信号は、電子キー２とセキュリティ装置３との間での双方向通信を確立するためのトリガ信号である。これにより、車内の所定領域Ａ３２の範囲内にリクエスト信号が送信されている状態で、その範囲内に電子キー２が持ち込まれたとき、電子キー２によりリクエスト信号が受信されて同電子キー２からＩＤコード信号が送信されることになる。
【００２４】
図１に戻って、受信アンテナ３３は、リクエスト信号に応答して電子キー２から送信されてくるＩＤコード信号を受信するための媒体である。受信回路３４は、受信アンテナ３３により受信されたＩＤコード信号を復調して受信信号を生成するとともに、その受信信号を照合装置３５に出力する。
【００２５】
照合装置３５は、不揮発性のメモリ３５ａを備えるとともに、そのメモリ３５ａには、対応する電子キー２のＩＤコードと同一のＩＤコード（基準ＩＤコード）が記憶されている。
【００２６】
照合装置３５には、乗降に供されるドアの開閉状態を検出するためのドアカーテシスイッチ４０が電気的に接続されている。ドアカーテシスイッチ４０は、検出対象となるドアが開いているとき、ドアが開いていることを示唆する検出信号をドアが開いている期間に亘って照合装置３５に出力する。また、ドアカーテシスイッチ４０は、ドアが閉まっているとき、ドアが閉まっていることを示唆する検出信号をドアが閉まっている期間に亘って照合装置３５に出力する。
【００２７】
照合装置３５は、ドアカーテシスイッチ４０からドアが閉まっていることを示唆する検出信号が入力されている状態で、同ドアカーテシスイッチ４０からドアが開いていることを示唆する検出信号が入力されたとき、ドアが開けられた旨を認識する。そして、照合装置３５は、このようにドアが開けられた旨を認識したとき、対応する電子キー２の所持者による乗車（車内の所定領域Ａ３２に対する進入）を監視するため、送信回路３１にリクエスト信号を出力する。つまり、この場合、照合装置３５は、車内通信制御を実行する。その結果、送信アンテナ３２から車内の所定領域Ａ３２の範囲内にリクエスト信号が送信される。
【００２８】
照合装置３５は、車内通信制御を実行したことに伴って、受信回路３４から受信信号が入力されたとき、その受信信号に含まれているＩＤコードと基準ＩＤコードとが一致しているか否かを判断する。つまり、この場合、照合装置３５は、ＩＤコード照合を実行する。
【００２９】
照合装置３５には、エンジンを始動させるとともに、エンジンを停止させるエンジン制御装置５０が電気的に接続されている。そして、照合装置３５は、前記ＩＤコード照合により両ＩＤコードが一致したとき、対応する電子キー２が利用された旨を認識するとともに、そのことを示唆する信号（ＩＤコード一致信号）をエンジン制御装置５０に出力する。尚、このように照合装置３５からエンジン制御装置５０にＩＤコード一致信号が出力されたとき、詳細については後述するが、「所定の条件」が満足されたことを条件として、エンジン制御装置５０によりエンジンが始動される。従って、前記ＩＤコード一致信号は、照合装置３５がエンジンの始動を許可する場合にエンジン制御装置５０に対して出力するエンジン始動許可信号に相当する。
【００３０】
エンジン制御装置５０には、ブレーキ操作を検出するためのブレーキスイッチ５１、及びエンジンを始動する場合やエンジンを停止する場合に操作されるエンジンスイッチ５２が電気的に接続されている。
【００３１】
ブレーキスイッチ５１は、ブレーキペダルが踏み込まれているとき、ブレーキペダルが踏み込まれていることを示唆する検出信号をブレーキペダルが踏み込まれている期間に亘ってエンジン制御装置５０に出力する。そして、エンジン制御装置５０は、ブレーキスイッチ５１からブレーキペダルが踏み込まれていることを示唆する検出信号が入力されているとき、ブレーキ操作が行われている旨を認識する。
【００３２】
エンジンスイッチ５２は、外部から押圧操作可能なボタンを備えたプッシュスイッチよりなるとともに、ボタンが押圧されたとき、ボタンが押圧されたことを示唆する検出信号をボタンが押圧されている期間に亘ってエンジン制御装置５０に出力する。
【００３３】
エンジン制御装置５０は、エンジンの回転数を検出するとともに、それがゼロであるときエンジン停止中であると認識する一方で、それがゼロよりも大きなものであるときエンジン回転中である旨を認識する。また、エンジン制御装置５０は、エンジンの回転数を示唆する検出信号を照合装置３５に出力する。
【００３４】
エンジン制御装置５０は、エンジン停止中である旨を認識している状態で、エンジンスイッチ５２からボタンが押圧されたことを示唆する検出信号が入力されたとき、エンジンを始動するための操作（エンジン始動操作）が行われた旨を認識する。エンジン制御装置５０は、照合装置３５から前記ＩＤコード一致信号が入力されている状態で、ブレーキ操作が行われている旨を認識して、且つエンジン始動操作が行われた旨を認識したとき、エンジンを始動させる。尚、ブレーキ操作が行われており、且つエンジン始動操作が行われたことは、エンジンが始動される場合に満足されるべき前記「所定の条件」に相当する。
【００３５】
エンジン制御装置５０は、エンジン回転中である旨を認識している状態で、エンジンスイッチ５２からボタンが押圧されたことを示唆する検出信号が入力されたとき、エンジンを停止するための操作（エンジン停止操作）が行われた旨を認識する。エンジン制御装置５０は、エンジン停止操作が行われた旨を認識したとき、エンジンを停止させる。
【００３６】
照合装置３５は、エンジン制御装置５０からエンジンの回転数がゼロであることを示唆する検出信号が入力されたとき、エンジン停止中である旨を認識する。一方、照合装置３５は、エンジン制御装置５０からエンジンの回転数がゼロよりも大きなものであることを示唆する検出信号が入力されたとき、エンジン回転中である旨を認識する。
【００３７】
また、照合装置３５は、エンジン停止中である旨を認識している状態で、エンジン回転中である旨を認識したとき、エンジンが始動された旨を認識する。一方、照合装置３５は、エンジン回転中である旨を認識している状態で、エンジン停止中である旨を認識したとき、エンジンが停止された旨を認識する。
【００３８】
尚、前記エンジンスイッチ５２は、照合装置３５に電気的に接続されるとともに、前記ボタンが押圧されたとき、ボタンが押圧されたことを示唆する検出信号をボタンが押圧されている期間に亘って照合装置３５に出力する。
【００３９】
照合装置３５は、エンジン停止中である旨を認識している状態で、エンジンスイッチ５２からボタンが押圧されたことを示唆する検出信号が入力されたとき、エンジンを始動するための操作（エンジン始動操作）が行われた旨を認識する。一方、照合装置３５は、エンジン回転中である旨を認識している状態で、エンジンスイッチ５２からボタンが押圧されたことを示唆する検出信号が入力されたとき、エンジンを停止するための操作（エンジン停止操作）が行われた旨を認識する。
【００４０】
次に、本実施形態の自動車における特徴点について説明する。
さて、上記のような電子キーシステム１が適用されている本実施形態の自動車によると、車両ユーザが正規の電子キー２を所持した上で車内に乗り込んだとき、電子キー２とセキュリティ装置３との間において双方向通信が行われるとともに、それによりエンジンの始動が許可される。つまり、車両ユーザにしてみれば、正規の電子キー２を車内に持ち込むだけでエンジンの始動が許可される訳であるから、非常に簡便である。
【００４１】
そして、このようにエンジンの始動が許可されている状態で、ブレーキ操作が行われながらエンジン始動操作が行われたとき、エンジンが始動されるとともに、これにより車両ユーザによる車両走行が可能となる。
【００４２】
そして、車両走行のときを経て、やがてエンジン停止操作が行われたとき、エンジンが停止されることとなる。
ここに、本実施形態の自動車は、このようにしてエンジンが停止されてからの動作に特徴を有するとともに、具体的には、エンジンが停止されてから所定の時間（本実施形態では５分間）が経過するまでの期間に亘って、正規の電子キー２が利用されたことを単独条件とするエンジンの始動が禁止されるようになっている。即ち、正規の電子キー２が利用されることを第１の条件と規定するとともに、基準パスワードと一致するパスワードが入力されることを第２の条件と規定し、前記期間内にあって、前記第１の条件及び前記第２の条件がいずれも満足されたとき、前記期間内におけるエンジンの始動が許可されるようになっている。
【００４３】
尚、基準パスワードと一致するパスワード（正規のパスワードと同義）は、車両ユーザ本人や車両ユーザ本人ではないにしてもその者と密接な間柄にある者（例えば家族）しか知らない筈である。本実施形態において「車両ユーザ本人」とは、「車両ユーザ本人」に加えて、その者と密接な間柄にある者（家族等）、つまり「車両ユーザ本人」から正規のパスワードを知らされた特別な者が含まれることと定義する。従って、前記正規のパスワードは、このような者達（上記のように定義された広義での「車両ユーザ本人」）のみが知り得る情報であると言える。そして、正規のパスワードが入力されたとき、ユーザ本人がそれを行ったものとして扱われることから、前記正規のパスワードは、ユーザ本人を特定するに値する情報であると言える。
【００４４】
ただし、エンジンが停止された時点を基点として、その時点からユーザ本人が降車せずに車内に居続けていることを示唆する情報が取得されたとき、前記第２の条件が前記期間内におけるエンジンの始動を許可するときに必要な条件から外されるようになっている。つまり、エンジン停止時からユーザ本人が降車せずに車内に居続けていることが把握されるとき、正規の電子キー２の存在が肯定されることを条件として、前記期間内におけるパスワード入力無しでのエンジンの始動が許可されるようになっている。
【００４５】
尚、エンジン停止時からユーザ本人が降車せずに車内に居続けていることを示唆する情報が取得されることを第３の条件と規定する。そうしたとき、前記期間内にあって、前記第１の条件及び前記第３の条件がいずれも満足されたとき、エンジンの始動が許可されるようになっている。つまり、この場合についても、エンジンが停止されてから所定の時間（本実施形態では５分間）が経過するまでの期間に亘って、正規の電子キー２が利用されたことを単独条件とするエンジンの始動が禁止されていると言える。
【００４６】
さて、このような特徴的な動作に関連する構成について説明すると、図１に示すように、照合装置３５には、ナビゲーションシステム６０が電気的に接続されている。ナビゲーションシステム６０は、各種情報を表示するための表示装置や車両ユーザによる情報入力に供される操作装置を含んで構成されている。ちなみに、前記表示装置には、パスワード入力を要求する画面が表示されるとともに、前記操作装置は、パスワード入力に関する操作を行えるようになっている。
【００４７】
次に、図３に示すフローチャートを参照しながら、照合装置３５によるエンジン再始動規制制御について説明する。
さて、照合装置３５は、エンジンが停止された旨を認識したとき、エンジンが停止されてから（厳密には、エンジンが停止された旨を認識してから）の経過時間の測定を開始する（ステップＳ１）。また、照合装置３５は、エンジンが停止されてからドアが開けられたか否かの監視を開始する（ステップＳ２）。尚、照合装置３５は、ドアカーテシスイッチ４０から入力される検出信号を解析した結果、ドアが開けられた旨を認識したとき、ドア開有と判断するとともに、このとき、かかる情報を後の制御に役立てるためにドア開フラグを「１」に設定する。
【００４８】
照合装置３５は、エンジンが停止されてから所定の時間（本実施形態では５分間）が経過する前に（ステップＳ３においてＮＯ）、エンジン始動操作が行われた旨を認識したとき（ステップＳ４においてＹＥＳ）、ステップＳ５へ移行する。一方、照合装置３５は、エンジンが停止されてからエンジン始動操作が行われることなく所定の時間が経過したとき（ステップＳ３においてＮＯ、ステップＳ４においてＮＯ、ステップＳ３においてＮＯ、・・・を繰り返して、やがてステップＳ３においてＹＥＳとなったとき）、一連の処理を終了する。つまり、この場合、エンジンの再始動を規制する期間が過ぎたことになり、よってこの場合、正規の電子キー２が利用されたことを単独条件とするエンジンの始動が許可される。
【００４９】
照合装置３５は、ステップＳ５において、送信回路３１にリクエスト信号を出力するとともに、それに伴って基準ＩＤコードと一致するＩＤコードを含む受信信号が受信回路３４から入力されたとき（ステップＳ６おいてＹＥＳ）、ステップＳ７へ移行する。一方、照合装置３５は、基準ＩＤコードと一致するＩＤコードが得られないとき（ステップＳ６においてＮＯ）、この処理を終了する。つまり、この場合、正規の電子キー２が利用されたことにはならないので、そのような状況下でのエンジンの始動が禁止される。尚、照合装置３５がリクエスト信号を出力してから照合装置３５が何らかのＩＤコードを取得するまでにはタイムラグがあるので、それを踏まえた猶予期間が過ぎてもなお、基準ＩＤコードと一致するＩＤコードが取得されないことを条件として、ステップＳ６においてＮＯと判断される。
【００５０】
照合装置３５は、ステップＳ７において、エンジンが停止されてからドアが開けられたか否かを判断する。照合装置３５は、ドア開フラグが「１」であるとき（ステップＳ７においてＹＥＳ）、ステップＳ８へ移行する。
【００５１】
照合装置３５は、ステップＳ８において、「パスワード入力を要求する画面」がナビゲーションシステム６０の表示装置に表示されるように、同ナビゲーションシステム６０に対して表示指令信号を出力する。つまり、この場合、エンジン始動操作を行った者に対して、パスワードの入力が促されるようになっている。そして、このような画面がナビゲーションシステム６０の表示装置に表示されることに伴って、同ナビゲーションシステム６０の操作装置が用いられてパスワードが入力されることになる。そして、基準パスワードと一致するパスワードが入力されたとき、ナビゲーションシステム６０から照合装置３５に対して、パスワードが一致したことを示唆する信号（パスワード一致信号）が出力される。
【００５２】
照合装置３５は、ナビゲーションシステム６０からパスワード一致信号が入力されたとき（ステップＳ９においてＹＥＳ）、ステップＳ１０へ移行するとともに、このステップＳ１０において、エンジンの再始動を許可する信号（エンジン再始動許可信号）をエンジン制御装置５０に出力する。つまり、エンジンが停止されてから所定の時間（５分間）が経過するまでの期間内にドアが一旦開けられた場合、正規の電子キー２が利用されるという第１の条件及び正規のパスワードが入力されるという第２の条件がいずれも満足されたことを条件として、エンジンの始動（エンジンが停止されて間もなくそれが始動されることからエンジンの再始動として扱う）が許可されるようになっている。
【００５３】
一方、照合装置３５は、ナビゲーションシステム６０からパスワード一致信号が入力されないとき（ステップＳ９においてＮＯ）、この処理を終了する。つまり、この場合、正規のパスワードが入力されたことにはならないので、そのような状況下でのエンジンの始動が禁止される。別の言い方をすると、エンジンが停止されてから所定の時間（５分間）が経過するまでの期間内にドアが一旦開けられた場合、正規の電子キー２が利用されるだけではエンジンの始動が許可されないようになっている。尚、照合装置３５がステップＳ８において表示指令信号を出力してから照合装置３５がパスワード一致信号を取得するまでにはタイムラグがあるので、それを踏まえた猶予期間が過ぎてもなお、パスワード一致信号が取得されないことを条件として、ステップＳ９においてＮＯと判断される。
【００５４】
ちなみに、車両ユーザ本人であれど、正規のパスワードとは別のパスワードである誤ったパスワードを入力してしまうことも予想されるので、これに対処するべく、パスワード入力を所定の回数に亘ってリトライできる構成を採用してもよい。例えば、３回以下のパスワード入力については許容されるとともに、それを超えるパスワード入力については無効とされる構成を採用してもよい。
【００５５】
少し話を戻すと、照合装置３５は、前記ステップＳ７において、エンジンが停止されてからドアが開けられたか否かを判断することとなっていた。そして、照合装置３５は、ドア開フラグが「１」であるとき（ステップＳ７においてＹＥＳ）、つまりエンジンが停止されてから所定の時間（５分間）が経過するまでの期間内にドアが一旦開けられた場合、前記第１の条件及び前記第２の条件がいずれも満足されたことを条件として、エンジンの始動が許可されるようになっている。
【００５６】
これに対して、照合装置３５は、ドア開フラグが「１」でないとき（ステップＳ７においてＮＯ）、ステップＳ１０へ移行する。つまり、エンジンが停止されてから所定の時間（５分間）が経過するまでの期間内にドアが一度も開けられなかった場合、正規の電子キー２が利用されるという前記第１の条件が満足されたことを条件として、エンジンの始動（エンジンが停止されて間もなくそれが始動されることからエンジンの再始動として扱う）が許可されるようになっている。
【００５７】
ここに、エンジンが停止されてから所定の時間（５分間）が経過するまでの期間内にあって、ドアが一度も開けられていないということは、エンジンが停止された時点を基点として、その時点から車両ユーザ本人が降車せずに車内に居続けているものとして扱っても差し支えない。従って、上記の内容を別の言葉で表現するならば、前記期間内にあって、エンジンが停止されてから車両ユーザ本人が降車せずに車内に居続けていることが把握されるとき、正規の電子キー２の存在が肯定されることを条件として、前記期間内におけるパスワード入力無しでのエンジンの始動が許可されるようになっていると言える。
【００５８】
以上、詳述したように本実施形態によれば、次のような作用、効果を得ることができる。
（１）エンジンが停止されてから所定の時間（本実施形態では５分間）が経過するまでの期間内において、対応する電子キー２（正規の電子キー２と同義）が利用されたとしても、それ単独ではエンジンの始動が許可されない。このため、例えば、降車直後に電子キー２をユーザ本人以外の者が入手するような場合でも、その者は、前記電子キー２を利用するだけではエンジンを始動させることができないことになる。従って、セキュリティレベルを向上することができる。
【００５９】
（２）エンジン停止時を基点として、その時点からユーザ本人が車内に居続けているのであれば、正規の電子キー２の存在が肯定されることを条件として、エンジンの再始動を許可したとしても何ら差し支えないので、このような状況が把握されるとき、エンジンの始動を許可するようにしている。従って、ユーザ本人が享受する利便性が損なわれてしまうことを防止できる。
【００６０】
（３）エンジンが停止されてから所定の時間（本実施形態では５分間）が経過するまでの期間内において、如何なる条件が満足されようとも必ずエンジンの始動を禁止するのでは利便性が低下してしまうので、そうならないようにするための対策が講じられている。即ち、前記期間内において、対応する電子キー２が利用されるという第１の条件と、ユーザ本人を特定するに値する情報（正規のパスワード）が取得されるという第２の条件とが共に満足されたとき、前記期間内におけるエンジンの始動が許可される。
【００６１】
このため、正規の電子キー２を入手した第三者といえども第１の条件を満足できるに過ぎず、第２の条件を満足することができない。よって、その者による前記期間内におけるエンジンの再始動は許可されないので、高いセキュリティレベルが得られる。一方、ユーザ本人は第１の条件及び第２の条件をいずれも満足できるので、よってユーザ本人による前記期間内におけるエンジンの再始動が許可されることとなり、利便性に優れる。従って、セキュリティ性と利便性との両立を図ることができる。
【００６２】
（４）ユーザ本人を特定するに値する情報として、ユーザ本人のみが知り得る情報（正規のパスワード）が取得されたとき、第２の条件が満足される。そして、エンジンが停止されてから所定の時間（本実施形態では５分間）が経過するまでの期間内において、対応する電子キー２が利用されるという第１の条件と、ユーザ本人のみが知り得る情報が取得されるという第２の条件とが共に満足されたとき、前記期間内におけるエンジンの始動が許可される。
【００６３】
つまり、前記期間内において、エンジンを再始動させるためには、単にユーザ本人が特定されればよい訳ではなく、そのユーザ本人のみぞ知る情報、いわば階層の深い情報である正規のパスワードが必要となる。従って、このような秘匿性に優れる情報（正規のパスワード）が取得されたことを条件として、エンジンの再始動が許可されるようにしているので、セキュリティレベルを向上できる。別の言い方をするならば、前記期間内において第三者がエンジンを再始動できる余地はなく、それは皆無に等しいと言える。
【００６４】
尚、前記実施形態は、次のように変更して具体化することも可能である。
・例えば、ナビゲーションシステム６０の操作装置を用いて、エンジンの再始動を規制する期間を車両ユーザが任意に設定できるようにしてもよい。この場合、前記期間の設定に関する操作が行われたとき、その操作により設定された期間を示唆するデータ（エンジン再始動規制期間データ）がナビゲーションシステム６０から照合装置３５に対して出力されるとともに、このとき、照合装置３５は、前記データをメモリ３５ａに記憶する。従って、この場合、メモリ３５ａに記憶されたデータから把握される期間に亘って、照合装置３５によりエンジンの再始動が規制されることになる。尚、この場合、ナビゲーションシステム６０と照合装置３５とにより、エンジンの再始動を規制する期間、つまりエンジンが停止されてから、正規の電子キー２が利用されたことを単独条件とするエンジンの始動を禁止する期間を設定するエンジン再始動規制期間設定手段が構成される。
【００６５】
同構成によると、エンジンの再始動を規制する期間を任意に設定することが可能となる。従って、その期間をユーザ本人の所望に応じたものに設定することで、ユーザ本人の都合に合わせることができる。例えば、前記期間を、駐車場を出てから自宅に入るまでの所要時間よりも長い時間に設定すれば、降車直後に第三者に電子キー２を奪われたとしても、その者は、エンジンを始動させるに際して時間的な制約を受けて、直ちにはエンジンを始動させることができない。よって、このような場合、ユーザ本人は、身の安全を確保するべく、取り急ぎその者に電子キーを手渡すとともに、自分が自宅に戻った後に警察に連絡をとる等の処置を施すことができる。
【００６６】
・上記のようにエンジンの再始動を規制する期間を車両ユーザが任意に設定できる構成において、正規のパスワードが入力されたことを条件として、前記期間を設定できるようにすることが望ましい。このようにすれば、正規のパスワードを知り得ない第三者により前記期間が設定されるようなことを防止できる。
【００６７】
・上記のようにエンジンの再始動を規制する期間を車両ユーザが任意に設定できる構成において、１台の自動車に対して複数の期間を設定できるようにしてもよい。この場合、例えば、複数の基準ＩＤコードをメモリ３５ａに記憶するとともに、基準ＩＤコード毎に期間データを関連付けすればよい。このようにすれば、例えば、家族を構成する者達が個別に電子キー２を所有しながら１台の自動車を共有しているような場合において、各自の都合に合わせて前記期間を設定できる。
【００６８】
・ユーザ本人が降車せずに車内に居続けていることを示唆する情報として、ドアが開けられていないことを示唆する情報に代えて又は加えて、ドアがロックされていないことを示唆する情報を用いてもよい。
【００６９】
・ユーザ本人のみが知り得る情報は、正規のパスワードに限定されない。即ち、車内に設けられているスイッチ類が、基準操作態様と一致する態様で操作されることを第２の条件としてもよい。この場合、基準操作態様と一致する操作態様（正規の操作態様と同義）がユーザ本人のみが知り得る情報に相当する。尚、基準操作態様は、操作順序や操作回数や操作時間等を組み合わせたものとすればよい。
【００７０】
・正規のパスワードが入力されることに代えて又は加えて、上記のように車内に設けられているスイッチ類が、基準操作態様と一致する態様で操作されることを第２の条件としてもよい。そして、正規のパスワードが入力されることと、スイッチ類が正規の操作態様で操作されることとが共に満足されることで、第２の条件が満足されることとしたとき、前記期間内において第三者がエンジンを再始動できる余地は更になくなるので、非常に高いセキュリティレベルを得ることができる。
【００７１】
・ユーザ本人を特定するに値する情報として、ユーザ本人のみが知り得る情報に代えて又は加えて、ユーザ本人の指紋や掌紋、それに虹彩等といったユーザ本人に特有の生体情報を用いてもよい。
【００７２】
・エンジンの再始動を規制する構成は、特定の条件（第１の条件と第２の条件、或いは第１の条件と第３の条件）が満足されない限り、照合装置３５からエンジン制御装置５０にエンジン再始動許可信号を出力しないようにすることに限定されない。即ち、エンジンを始動させるためには、それに先立ってステアリングホイールが回動不能なロック状態からそれが回動可能なアンロック状態へ移行される必要があるが、前記特定の条件が満足されない限り、アンロック状態へ移行されないようにすることでエンジンの再始動を規制するようにしてもよい。例えば、ロック状態からアンロック状態へ移行させるための駆動源に対する給電をカットすることでアンロック状態へ移行されないようにしてもよい。
【００７３】
或いは、アンロック状態へ移行されたことを示唆する情報が取得された場合でも、その情報を前記特定の条件が満足されるまで後段に提供しないようにすることでエンジンの再始動を規制するようにしてもよい。尚、この場合でも、前記特定の条件が満足されたとき、前記情報を後段に提供するようにし、これによりエンジンの再始動が許可されることは勿論である。
【００７４】
或いは、エンジンが始動される場合に必要な電力を賄うイグニッション電源から、エンジンを始動する場合に駆動されるセルモータ等への給電に関して、それを前記特定の条件が満足されるまで禁止することでエンジンの再始動を規制するようにしてもよい。
【図面の簡単な説明】
【００７５】
【図１】電子キーシステムが適用されている本実施形態の自動車の構成を示すブロック図。
【図２】車内の所定領域を示す説明図。
【図３】照合装置によるエンジン再始動規制制御を説明するためのフローチャート。
【符号の説明】
【００７６】
２…電子キー、３５…照合装置（エンジン始動制御装置、エンジン再始動規制手段、エンジン再始動規制緩和手段、エンジン再始動許容手段）。
【図１】
2008087734.tif 000003
【図２】
2008087734.tif 000004
【図３】
2008087734.tif 000005